(57)【要約】      （修正有）【課題】取り付けや取り卸しも簡単になり、防振効果がよくなり、使いやすい紡績用ローラーラックを提供する。【解決手段】紡績用ローラーラックであって、台座１を備えており、台座の頂部に、ローラー２が設置され、ローラーの両端に、いずれも固定軸３が固定接続され、固定軸の表面に、それぞれ第一可動スリーブ４と第二可動スリーブ５が可動接続され、第一可動スリーブの表面に、ガイドブロック７が可動接続され、第一可動スリーブの底部に、ガイドブロックの内部における接続ブロックが固定接続され、第一可動スリーブの内部に、ボルト１３がねじ接続され、ボルトの頂端が、順番に第一可動スリーブ及び第二可動スリーブを貫通し、且つ第二可動スリーブの外部に延びる。さらに、可動ロッド８と、ばね９と、ストッパーと、接続ロッド１１及びナット１２を組み合わせる。【選択図】図１
0003232439.tif 000002
【実用新案登録請求の範囲】
【請求項１】
紡績用ローラーラックであって、
それは台座（1）を備えており、前記台座（1）の頂部に、ローラー（2）が設置され、前記ローラー（2）の両端に、いずれも固定軸（3）が固定接続され、前記固定軸（3）の表面に、それぞれ第一可動スリーブ（4）と第二可動スリーブ（5）が可動接続され、前記第一可動スリーブ（4）の表面に、ガイドブロック（7）が可動接続され、前記第一可動スリーブ（4）の底部に、ガイドブロック（7）の内部における接続ブロック（6）が固定接続され、前記第一可動スリーブ（4）の内部に、ボルト（13）がねじ接続され、前記ボルト（13）の頂端が、順番に第一可動スリーブ（4）及び第二可動スリーブ（5）を貫通し、且つ第二可動スリーブ（5）の外部に延びて、前記ボルト（13）の底端が、第一可動スリーブ（4）、ガイドブロック（7）及び接続ブロック（6）を貫通し、且つ接続ブロック（6）の内部に延びて、前記台座（1）の内部に、可動ロッド（8）が可動接続され、前記可動ロッド（8）の頂端が、台座（1）を貫通し、且つ台座（1）の外部に延びてガイドブロック（7）の底部に固定接続され、前記可動ロッド（8）の表面に、ばね（9）が可動接続され、前記ばね（9）の頂部及び底部が、それぞれガイドブロック（7）の底部及び台座（1）の頂部に固定接続され、前記台座（1）の内部に、ストッパー（10）が可動接続され、前記ストッパー（10）の頂部に、接続ロッド（11）が固定接続され、前記接続ロッド（11）の頂端が、順番に台座（1）とガイドブロック（7）を貫通し、且つガイドブロック（7）の外部に延びて、前記接続ロッド（11）の表面に、ナット（12）がねじ接続され、前記ナット（12）の底部が、ガイドブロック（7）の頂部に可動接続されることを特徴とする紡績用ローラーラック。
【請求項２】
前記台座（1）の底部に、キャスター（14）が固定接続され、前記キャスター（14）が台座（1）の底部の四方に固定接続されることを特徴とする請求項１に記載の紡績用ローラーラック。
【請求項３】
前記ガイドブロック（7）の前及び後の両側に、いずれも電球（15）が固定接続され、前記電球（15）は半円状であることを特徴とする請求項１に記載の紡績用ローラーラック。
【請求項４】
前記台座（1）の頂部に、集塵ボックス（16）が固定接続され、前記集塵ボックス（16）が、ローラー（2）の底部にあることを特徴とする請求項１に記載の紡績用ローラーラック。
【考案の詳細な説明】
【技術分野】
【０００１】
本考案は紡績の技術分野に関し、具体的は紡績用ローラーラックに関する。
【背景技術】
【０００２】
紡績というのは、もともと糸を紡ぐことや、布を織ることなどを総称する名称であるが、紡績知識体系や学問体系など絶えず発展及び改善に従って、特に不織布や三次元織物複合材料などが開発されてから、今の紡績は、すでに伝統的な手で糸を紡ぐことや、布を織ることだけではなく、不織布や三次元織物複合材料、及び新型静電気紡績技術により製造されて、アパレル業用、産業用、装飾用等の織物も含んでいる。従って、近代的な紡績とは、繊維又は繊維集合体のマルチスケール構造の加工技術を指し、今よく見ている紡績用ローラーラックは構造が固定されているため、取り付けや取り外しが極めて不便であるとともに、ラックは防振効果が悪く、使いにくいといった課題がある。
【考案の概要】
【考案が解決しようとする課題】
【０００３】
本考案は、紡績用ローラーラックを提供するのを目的とし、該紡績用ローラーラックは使いやすいという利点があり、既存紡績用ローラーラックが使いにくいといった課題を解決できるようになる。
【課題を解決するための手段】
【０００４】
以上の目的を実現するために、本考案の使用する技術的な解決方案は以下の通りである。紡績用ローラーラックであって、それは台座を備え、前記台座の頂部に、ローラーが設置され、前記ローラーの両端に、いずれも固定軸が固定接続され、前記固定軸の表面に、それぞれ第一可動スリーブと第二可動スリーブが可動接続され、前記第一可動スリーブの表面に、ガイドブロックが可動接続され、前記第一可動スリーブの底部に、ガイドブロックの内部における接続ブロックが固定接続され、前記第一可動スリーブの内部に、ボルトがねじ接続され、前記ボルトの頂端が、順番に第一可動スリーブ及び第二可動スリーブを貫通し、且つ第二可動スリーブの外部に延びて、前記ボルトの底端が、第一可動スリーブ、ガイドブロック及び接続ブロックを貫通し、且つ接続ブロックの内部に延びて、前記台座の内部に、可動ロッドが可動接続され、前記可動ロッドの頂端が、台座を貫通し、且つ台座の外部に延びてガイドブロックの底部に固定接続され、前記可動ロッドの表面に、ばねが可動接続され、前記ばねの頂部及び底部が、それぞれガイドブロックの底部及び台座の頂部に固定接続され、前記台座の内部に、ストッパーが可動接続され、前記ストッパーの頂部に、接続ロッドが固定接続され、前記接続ロッドの頂端が、順番に台座とガイドブロックを貫通し、且つガイドブロックの外部に延びて、前記接続ロッドの表面に、ナットがねじ接続され、前記ナットの底部が、ガイドブロックの頂部に可動接続される。
【０００５】
好ましくは、前記台座の底部に、キャスターが固定接続され、前記キャスターが台座の底部の四方に固定接続される。
【０００６】
好ましくは、前記ガイドブロックの前及び後の両側に、いずれも電球が固定接続され、前記電球は半円状である。
【０００７】
好ましくは、前記台座の頂部に、集塵ボックスが固定接続され、前記集塵ボックスが、ローラーの底部にある。
【考案の効果】
【０００８】
既存技術と比べて、本考案の有益な効果は以下の通りである。
１、本考案は、第一可動スリーブと、第二可動スリーブと、ガイドブロックと、接続ブロックと、ボルトと、可動ロッドと、ばねと、ストッパーと、接続ロッド及びナットを組み合わせることで、紡績用ローラーラックが使いやすくなり、取り付けや取り卸しも簡単になり、また、紡績用ローラーラックの防振効果がよくなり、使いやすくなる。
２、本考案は、キャスターを設置することで、簡単に紡績用ローラーラックを移動できるようになり、電球を設置することで、夜で紡績用ローラーラックを便利に使用できるようになり、集塵ボックスを設置することで、紡績ローラーが作動中に発生された絮を吸収できるようになる。
【図面の簡単な説明】
【０００９】
【図１】本考案の構造概略図である。
【図２】本考案の構造の左側面図である。
【考案を実施するための形態】
【００１０】
以下、本考案の実施例における図面と合わせて、本考案の実施例における技術手段について具体的に説明する。もちろん、本明細書に説明した実施例は本考案の実施例の一部に過ぎなく、全部の実施例ではない。本考案の実施例に基づき、本技術分野の当業者は、創造的な労働を作らない限り、得られた他の実施形態のすべては本考案の保護範囲に属する。
【００１１】
図面１−２をご参考ください。紡績用ローラーラックであって、それは台座1を備え、台座1の底部に、キャスター14が固定接続され、キャスター14が台座1の底部の四方に固定接続され、キャスター14を設置することで、簡単に紡績用ローラーラックを移動できるようになり、台座1の頂部に、集塵ボックス16が固定接続され、集塵ボックス16が、ローラー2の底部にあり、集塵ボックス16を設置することで、紡績ローラーが作動中に発生された絮を吸収できるようになり、台座１の頂部に、ローラー2が設置され、ローラー2の両端に、いずれも固定軸3が固定接続される。
固定軸3の表面に、それぞれ第一可動スリーブ4と第二可動スリーブ5が可動接続され、第一可動スリーブ4の表面に、ガイドブロック7が可動接続され、ガイドブロック7の前及び後の両側に、いずれも電球15が固定接続され、電球15は半円状であり、電球15を設置することで、夜で紡績用ローラーラックを便利に使用できるようになり、第一可動スリーブ4の底部に、ガイドブロック7の内部における接続ブロック6が固定接続され、第一可動スリーブ4の内部に、ボルト13がねじ接続され、ボルト13の頂端が、順番に第一可動スリーブ4及び第二可動スリーブ5を貫通し、且つ第二可動スリーブ5の外部に延びて、ボルト13の底端が、第一可動スリーブ4、ガイドブロック7及び接続ブロック6を貫通し、且つ接続ブロック6の内部に延びて、台座1の内部に、可動ロッド8が可動接続され、可動ロッド8の頂端が、台座1を貫通し、且つ台座１の外部に延びてガイドブロック７の底部に固定接続され、可動ロッド８の表面に、ばね９が可動接続され、ばね９の頂部及び底部が、それぞれガイドブロック７の底部及び台座１の頂部に固定接続され、台座１の内部に、ストッパー10が可動接続され、ストッパー10の頂部に、接続ロッド11が固定接続され、接続ロッド11の頂端が、順番に台座1とガイドブロック7を貫通し、且つガイドブロック7の外部に延びて、接続ロッド11の表面に、ナット12がねじ接続され、ナット12の底部が、ガイドブロック7の頂部に可動接続され、第一可動スリーブ4と、第二可動スリーブ5と、ガイドブロック7と、接続ブロック6と、ボルト13と、可動ロッド8と、ばね9と、ストッパー10と、接続ロッド11及びナット12を組み合わせることで、紡績用ローラーラックが使いやすくなり、取り付けや取り卸しも簡単になり、また、紡績用ローラーラックの防振効果がよくなり、使いやすくなる。
【００１２】
使用する際には、ボルト13を外し、第二可動スリーブ5を取り外し、固定軸3及びローラー2を取り外し、接続ブロック6を左右に移動して、接続ブロック6をガイドブロック７の中から取り出し、第一可動スリーブ4を取り外し、ナット12を回転することで、ラックばね9の伸び具合を調整することが可能であるため、紡績用ローラーラックが使いやすくなり、取り付けや取り卸しも簡単になり、また、紡績用ローラーラックの防振効果がよくなり、使いやすくなる。
【００１３】
上記の通り、該紡績用ローラーラックは、第一可動スリーブ4、第二可動スリーブ5、ガイドブロック7、接続ブロック6、ボルト13、可動ロッド8、ばね9、ストッパー10、接続ロッド11及びナット12等を組み合わせることで、紡績用ローラーラックが使用にくいといった課題を解決できるようになる。
【００１４】
上記は本考案の好ましい実施方式のみであり、本考案の保護範囲は何ら限定されない。本明細書に具体的な個別事例を応用して本考案の原理及び実施方式を説明したが、本技術分野の当業者にとって、本考案の原理から逸脱しない前提において、全ての改善と修正、変化または組み合わせ、いずれも本考案の保護範囲とみなすべきである。
【符号の説明】
【００１５】
１、台座；2、ローラー；3、固定軸；4、第一可動スリーブ；5、第二可動スリーブ；6、接続ブロック；7、ガイドブロック；8、可動ロッド；9、ばね；10、ストッパー；11、接続ロッド；12、ナット；13、ボルト；14、キャスター；15、電球；16、集塵ボックス。
【図１】
0003232439.tif 000003
【図２】
0003232439.tif 000004